(57)【要約】【課題】  その作成の対象となる契約者が加入する保険に係る各種の情報を一覧表にまとめた保険管理表につき、該契約者の保険に関する履歴も一覧的に把握でき、該契約者による保険の加入状況を生命保険と損害保険とに大別して一覧的に把握でき、該契約者の家族に対する保険サービスの内容を一覧的に把握でき、該契約者の加入する保険に係る保障（補償）内容についての重複の有無を一覧的に把握できる保険管理表を提供する。【解決手段】  保険管理表１は、該契約者の保険に関する履歴を記入する保険履歴記入表２と、該契約者が加入する生命保険に関連する各種の情報を記入する生命保険関連情報記入表３と、該契約者が加入する損害保険に関連する各種の情報を記入する損害保険関連情報記入表４とが含まれており、生命保険関連情報記入表３では契約者対象保険情報記入部５と家族対象保険情報記入部６とが区分けされている。【選択図】      図１
0003200540.tif 000002
【実用新案登録請求の範囲】
【請求項１】
その作成の対象となる契約者が加入する保険に係る各種の情報を一覧表にまとめた保険管理表であって、該契約者の保険に関する履歴を記入するための表形式の保険履歴記入表と、該契約者が加入する生命保険に関連する各種の情報を記入するための表形式の生命保険関連情報記入表と、該契約者が加入する損害保険に関連する各種の情報を記入するための表形式の損害保険関連情報記入表とが含まれており、該生命保険関連情報記入表は該契約者自身を保障の対象とする生命保険に関する各種の情報を記入するための契約者対象保険情報記入部と該契約者の家族を保障の対象とする生命保険に関する各種の情報を記入するための家族対象保険情報記入部とが区分けされていることを特徴とする保険管理表。
【請求項２】
請求項１に記載した保険管理表であって、前記保険履歴記入表には、前記契約者に生じた保険に関する出来事を記入するための履歴記入欄、該出来事が生じた日付を記入するための日付記入欄、該出来事に関係した関係者を記入するための関係者記入欄、該関係者の連絡先を記入するための関係者連絡先記入欄の各欄の内から選択された一部又は全部の欄が設けられていることを特徴とする保険管理表。
【請求項３】
請求項１又は２に記載した保険管理表であって、前記生命保険関連情報記入表には、前記契約者が該生命保険に加入する目的を記入するための目的記入欄、該生命保険による保障を提供する保険者について記入するための保険者記入欄、該生命保険の証券番号を記入するための証券番号記入欄、該契約者が該生命保険に加入した日付を記入するための契約日記入欄、該生命保険に加入している契約者を記入するための契約者記入欄、該生命保険による保障の対象となる被保険者を記入するための被保険者記入欄、該契約者が該生命保険に加入した際の該契約者ないし該被保険者の年齢を記入するための加入年齢記入欄、該生命保険に係る保険金の受取人を記入するための受取人記入欄、該生命保険に係る保障の内容に関する情報を記入するための保障の内容の欄として、該生命保険の種別を記入するための保険種別の欄、該生命保険によって保障を受けることができる期間を記入するための保険期間の欄、該契約者が該保険者に該生命保険に係る保険料を支払う払込期間を記入するための払込期間の欄、該被保険者の普通死亡により支払われる保険金の金額を記入するための普通死亡の欄、該被保険者の災害死亡又は高度傷害により支払われる保険金の金額を記入するための災害傷害の欄、該被保険者が入院した場合に支払われる保険金の金額を記入するための入院の欄、該生命保険によって保険金が支払われるための各種の条件を記入するための条件の欄、これら以外の該生命保険に係る保障の内容に関する情報を記入するためのその他の欄、該保険者に支払う生命保険料に関する情報を記入するための生命保険料の欄として、該生命保険料を支払う回数を記入するための払方の欄、該生命保険料の月額を記入するための月額生命保険料の欄、該生命保険料の年額を記入するための年額生命保険料の欄、該契約者自身を保障の対象とする生命保険に係る保険料の合計額を記入するための契約者対象生命保険料合計額の欄、該契約者の家族を保障の対象とする生命保険に係る保険料の合計額を記入するための家族対象生命保険料合計額の欄、該契約者が加入する生命保険に係る保険料の合計額を記入するための生命保険料合計額の欄の各欄の内から選択された一部又は全部の欄が設けられていることを特徴とする保険管理表。
【請求項４】
請求項１から３までの何れかに記載した保険管理表であって、前記損害保険関連情報記入表には、前記契約者が該損害保険に加入する目的を記入するための目的記入欄、該損害保険による補償を提供する保険者を記入するための保険者記入欄、該損害保険による保険期間の始まる日付を記入するための始期記入欄、該損害保険に加入している契約者を記入するための契約者記入欄、該損害保険の被保険者を記入するための被保険者記入欄、該損害保険の対象物を記入するための対象物記入欄、該損害保険に係る補償の内容に関する情報を記入するための補償の内容の欄として、該損害保険の種別を記入するための保険種別の欄、該損害保険によって補償を受けることができる期間を記入するための保険期間の欄、該契約者が該保険者に該損害保険に係る保険料を支払う払込期間を記入するための払込期間の欄、保険事故の発生により支払われる保険金の金額を記入するための補償額の欄、該被保険者が他人に損害賠償を行う際の補償について記入するための個人賠償の欄、該被保険者がその身体に傷害を負った場合の補償について記入するための傷害の欄、保険事故の解決を弁護士に依頼する場合の補償について記入するための弁護士費用の欄、該保険者に支払う損害保険料に関する情報を記入するための損害保険料の欄として、該損害保険料を支払う回数を記入するための払方の欄、該損害保険料の月額を記入するための月額損害保険料の欄、該損害保険料の年額を記入するための年額損害保険料の欄、該契約者が加入する該損害保険に係る保険料の合計額を記入するための損害保険料合計額の欄、該損害保険に関するこれら以外の情報を記入するためのその他の欄の各欄の内から選択された一部又は全部の欄が設けられていることを特徴とする保険管理表。
【請求項５】
請求項１から４までの何れかに記載した保険管理表であって、前記契約者の個人情報を記入するための表形式の契約者情報記入表が含まれていることを特徴とする保険管理表。
【請求項６】
請求項５に記載した保険管理表であって、前記契約者情報記入表には、前記契約者の氏名を記入するための氏名記入欄、該契約者の自宅住所を記入するための住所記入欄、該契約者が保有する電話番号を記入するための電話番号記入欄、該契約者の勤務先の名称を記入するための勤務先名称記入欄、該契約者の勤務先の所在地を記入するための勤務先所在地記入欄、該契約者の勤務先の電話番号を記入するための勤務先電話番号記入欄の各欄の内から選択された一部又は全部の欄が設けられていることを特徴とする保険管理表。
【請求項７】
請求項１から６までの何れかに記載した保険管理表であって、前記契約者の家族に関する情報を記入するための表形式の家族情報記入表が含まれていることを特徴とする保険管理表。
【請求項８】
請求項７に記載した保険管理表であって、前記家族情報記入表には、前記契約者の家族の氏名を記入するための氏名記入欄、該家族の生年月日を記入するための生年月日記入欄、該家族の該契約者との続柄を記入するための続柄記入欄の各欄の内から選択された一部又は全部の欄が設けられていることを特徴とする保険管理表。
【考案の詳細な説明】
【技術分野】
【０００１】
本考案は、その作成の対象となる契約者が加入する保険に係る各種の情報を正確かつ明確に理解することができるとともに、容易かつ迅速に理解することができるようにこれを一覧表にまとめた保険管理表に関する。
【背景技術】
【０００２】
まず、保険には実に様々な種類のものがあるが、保険業法によれば、人の生存又は死亡に関し一定額の保険金を支払うことを約して保険料を収受する生命保険と、一定の偶然の事故によって生ずることのある損害を填補することを約して保険料を収受する損害保険とに大別することができる。
【０００３】
そして、郵便局や保険会社等の多数の保険者がその保障（補償）や保険料等について多様な内容を有する保険サービスを提供しているところである。そうすると、このような保険に加入する契約者も、単一の保険者との間でのみ保険契約を締結する場合よりも、複数の保険者との間で保険契約を締結する場合が多い。また、契約者は、単一の保険サービスの提供を受ける場合よりも、複数の保険サービスの提供を受ける場合が多い。更に、契約者のみが当該保険の被保険者になる場合もあるが、契約者の家族もあわせて当該保険の被保険者になる場合も多い。もちろん、生命保険と損害保険の双方に加入している契約者もまた多く存在するところである。
【０００４】
以下に生命保険を具体的な例に挙げて説明するならば、一般に生命保険の契約は主契約と特約とから構成されている。まず、主契約を構成する保険には、死亡保障に係る保険として終身保険、定期保険、養老保険等があり、死亡保障以外の保障に係る保険として医療保険、がん保険、三大疾病保険、個人年金保険等があるところ、契約者はこれらの保険の内から主契約を選択する。次に、特約には、災害割増特約、傷害特約、災害入院特約、病気入院特約等があり、契約者はこれらの内から選択した特約を主契約に付随させることになる。生命保険は、一般にこのような複数の主契約と特約との組合せによって構成されるため、その組合せは多様であり、またその構成は非常に複雑なものになる。そして、その組合せによって当該生命保険による保障の内容及び保険料等も大きく異なるのである。
【０００５】
また、以下に損害保険を具体的な例に挙げて説明するならば、自動車事故によって運転者や自動車等に生じる損害を補償する自動車保険、火災や地震等によって家屋や家財道具に生じる損害を補償する火災保険や地震保険、各種の事故に起因する傷害による通院や入院に係る費用等を保証する傷害保険、あるいは他人に傷害を負わせたり他人の財物を破損したりした場合における他人への賠償を保証する賠償責任保険等の各種の損害保険が提供されている。そうすると、損害保険もまた、上記の生命保険と同様に、その組合せは多様であり、またその構成は非常に複雑なものになる。もちろん、その組合せによって当該損害保険による補償の内容及び保険料等も大きく異なるのである。
【０００６】
以上のような状況の下では、契約者が加入する保険に係る各種の情報を正確かつ明確に理解するとともに、容易かつ迅速に理解することは困難である。そうすると、保険者の側としては、契約者に対して、新たな保険契約の締結を勧める場合等に、契約者が加入する保険に係る情報を十分に説明することができないという問題があった。一方、契約者の側としても、保険者から新たな保険契約の締結を勧められた場合等に、その加入する保険に係る情報を十分に確認することができないという問題があった。
【０００７】
そこで、従来、その作成の対象となる者が加入する保険に係る各種の情報を正確かつ明確に理解することができるとともに、容易かつ迅速に理解することができるようにこれを一覧表にまとめた保険管理表として、以下のような保険管理表が提案されてきたところである。
【０００８】
まず、保険金の欄等を含む保険の契約内容を示す欄と、養老保険等の保険料の内訳の欄等を含む払込保険料の経理処理の内訳を示す欄を含んでいる保険の管理表が提案されている（例えば、特許文献１参照。）。
【０００９】
また、火災保険、自動車保険、交通障害入院保障等の事故の種類毎に異なるシートを設けて、各事故の種類毎の合計の保障額を表示し、保険料のシートとして他と異なるシートを設けて、保険料の合計を表示するとともに、資産としての保険として他と異なるシートを設けて合計資産を表示する保険早見表が提案されている（例えば、特許文献２参照。）。
【００１０】
そして、補償内容明細表と、年次別負担金詳細計算表と、保険年次推移に対する保険金グラフ表を有しており、補償内容明細表には加入年月日等をそれぞれ記入する欄を形成し、年次別負担金詳細計算表には保険料等をそれぞれ記入する欄を形成し、保険年次推移に対する保険金グラフ表は縦軸と横軸のいずれか一方を年齢の軸とし、他方を保険金受取金額を表す軸とする試算表も提案されている（例えば、特許文献３参照。）。
【００１１】
更に、その表面の左側上部の中央上段に損害保険契約書診断書と表示し、中央上段に診断依頼者名及び住所記入箇所を、下段に診断保険会社名及び捺印、電話番号、診断年月日の記入箇所をそれぞれ設けて表紙とし、左側下部の上段より下段に説明事項を箇条書にして保険契約及び診断結果の見方の説明表とし、更に右側全体を方眼紙面として、保険契約の目的物の図面記載表とし、更にその裏面の上端に契約内容と診断一覧表と表示し、裏面の上部に火災保険表、左側下部に自動車保険表、その他の保険表を設け右側下部に診断結果総括表を設けると共にそれぞれの表の欄外上方にそれぞれ火災保険、自動車保険、その他の保険、診断結果総括と表示し、上記火災保険表の欄内には左から符号、保険の目的、面積、適正料率、適正保険金額、適正保険料、現在保険金額、現在保険料、過不足保険金額、過不足保険料、満期月日、備考の欄を設け、満期月日欄を縦に会社名、金額の行を設けるとともにに符号、保険の目的、面積、適正料率の最下欄内に合計と表示し、その行の適正保険金額、適正保険料、現在保険金額、現在保険料、過不足保険金額、過不足保険料の各欄の最下欄の行にそれぞれの欄の合計欄を設け、更に満期月日の最下欄の行より上欄の行へ順次種別、保険料、合計の行を設け、自動車保険表の欄内には左から車名、登録番号、車両保険金額、対人保険金額、対物保険金額、保険金額、保険料、満期月日、会社名、強制保険満期月日、強制保険会社名、車検日、備考の欄を設け、その他の保険料の欄内には左から余白、保険金額、保険料、満期月日、会社名、備考の欄を設け、前記余白欄を縦に利益保険、傷害（団体）保険、賠償責任保険の行を設け契約内容と診断一覧表としたことを特徴とする損害保険契約診断書も提案されている（例えば、特許文献４参照。）。
【先行技術文献】
【特許文献】
【００１２】
【特許文献１】特開２００１−８８４６８号公報
【特許文献２】特開２０００−３０９１７８号公報
【特許文献３】実開昭６０−３００２８号公報
【特許文献４】実公昭４６−３１３６７号公報
【考案の概要】
【考案が解決しようとする課題】
【００１３】
ところで、上記の通り、契約者は、複数の保険者との間で保険契約を締結していることが多く、また、複数の保険サービスの提供を受けていることも多いところ、複数回にわたって保険契約を締結していることが多い。また、契約者が長期間にわたって保険に加入していれば、複数回にわたって保険契約を更改していることも多い。そして、契約者は保険契約を締結又は更改するに際して、保険者あるいは保険代理店との間で相談を行うのが一般的である。そうすると、契約者が加入する保険に係る各種の情報を正確かつ明確に理解し、また容易かつ迅速に理解するには、保険管理表に上記のような契約者と保険者等との間で行われた相談の日時、内容、及びその相談に対応した関係者といった契約者の保険に関する履歴を記載しておくことが有用である。
【００１４】
しかしながら、上記の従来技術に係る保険管理表にあっては、契約者の加入する保険に係る情報が羅列されているだけであるから、契約者の保険に関する履歴を把握することが困難であるという問題があった。そこで、本考案の解決しようとする第一の課題は、その作成の対象となる契約者が加入する保険に係る各種の情報を一覧表にまとめた保険管理表につき、該契約者の保険に関する履歴も一覧的に把握することができるようにした保険管理表を提供することにある。
【００１５】
また、上記の通り、保険は生命保険と損害保険とに大別することができるところ、一方で生命保険と損害保険の双方に加入する契約者も多く存在するが、他方で生命保険又は損害保険のいずれかにのみ加入する契約者も多く存在する。そうすると、契約者が加入する保険に係る各種の情報を正確かつ明確に理解し、また容易かつ迅速に理解するには、保険管理表に上記のような生命保険又は損害保険に大別して契約者による保険の加入状況も記載しておくことが有用である。
【００１６】
しかしながら、上記の従来技術に係る保険管理表にあっては、契約者の加入する保険に係る情報が羅列されているだけであるから、生命保険と損害保険とに大別して契約者による保険の加入状況を把握することが困難であるという問題があった。そこで、本考案の解決しようとする第二の課題は、その作成の対象となる契約者が加入する保険に係る各種の情報を一覧表にまとめた保険管理表につき、該契約者による保険の加入状況を生命保険と損害保険とに大別して一覧的に把握することができるようにした保険管理表を提供することにある。
【００１７】
また、上記の通り、契約者自身が当該保険の被保険者になるだけでなく、契約者の家族もあわせて当該保険の被保険者になることがある。そうすると、契約者が加入する保険に係る各種の情報を正確かつ明確に理解し、また容易かつ迅速に理解するには、保険管理表に上記のような契約者の家族に対する保障の内容も記載しておくことが有用である。
【００１８】
しかしながら、上記の従来技術に係る保険管理表にあっては、契約者の加入する保険に係る情報が羅列されているだけであるから、契約者の家族に対する補償の内容を把握することが困難であるという問題があった。そこで、本考案の解決しようとする第三の課題は、その作成の対象となる契約者が加入する保険に係る各種の情報を一覧表にまとめた保険管理表につき、該契約者の家族に対する保険サービスの内容を一覧的に把握することができるようにした保険管理表を提供することにある。
【００１９】
そして、上記の通り、多数の保険者がその保障（補償）や保険料等について多様な内容を有する保険サービスを提供しているところ、契約者は重複する保障内容を有する複数の保険サービスの提供を受けることもある。特にこのような場合は、契約者が重複する保障内容を有する保険サービスの提供を更に受けるべきか否かについての慎重な判断を要するところである。
【００２０】
しかしながら、上記の従来技術に係る保険管理表にあっては、契約者の加入する保険に係る情報が羅列されているだけであるから、契約者の加入する保険に係る保障内容が重複するか否かを把握することが困難であるという問題があった。そこで、本考案の解決しようとする第四の課題は、その作成の対象となる契約者が加入する保険に係る各種の情報を一覧表にまとめた保険管理表につき、該契約者の加入する保険に係る保障内容又は補償内容についての重複の有無を一覧的に把握することができるようにした保険管理表を提供することにある。
【課題を解決するための手段】
【００２１】
本考案は、上記の各課題を解決するために提案されたものであり、以下の構成を有するものである。以下では、本考案の構成を理解するのを補助するため、本願に添付した図面に表示した番号及び符号をあわせて記載する。
【００２２】
請求項１に係る保険管理表（１）は、その作成の対象となる契約者が加入する保険に係る各種の情報を一覧表にまとめた保険管理表であって、該契約者の保険に関する履歴を記入するための表形式の保険履歴記入表（２）と、該契約者が加入する生命保険に関連する各種の情報を記入するための表形式の生命保険関連情報記入表（３）と、該契約者が加入する損害保険に関連する各種の情報を記入するための表形式の損害保険関連情報記入表（４）とが含まれており、生命保険関連情報記入表（３）は該契約者自身を保障の対象とする生命保険に関する各種の情報を記入するための契約者対象保険情報記入部（５）と該契約者の家族を保障の対象とする生命保険に関する各種の情報を記入するための家族対象保険情報記入部（６）とが区分けされている。
【００２３】
請求項２に係る保険管理表（１）は、請求項１に記載した保険管理表であって、保険履歴記入表（２）には、前記契約者に生じた保険に関する出来事を記入するための履歴記入欄（２ａ）、該出来事が生じた日付を記入するための日付記入欄（２ｂ）、該出来事に関係した関係者を記入するための関係者記入欄（２ｃ）、該関係者の連絡先を記入するための関係者連絡先記入欄（２ｄ）の各欄の内から選択された一部又は全部の欄が設けられている。
【００２４】
請求項３に係る保険管理表（１）は、請求項１又は２に記載した保険管理表であって、生命保険関連情報記入表（３）には、前記契約者が該生命保険に加入する目的を記入するための目的記入欄（３ａ）、該生命保険による保障を提供する保険者について記入するための保険者記入欄（３ｂ）、該生命保険の証券番号を記入するための証券番号記入欄（３ｃ）、該契約者が該生命保険に加入した日付を記入するための契約日記入欄（３ｄ）、該生命保険に加入している契約者を記入するための契約者記入欄（３ｅ）、該生命保険による保障の対象となる被保険者を記入するための被保険者記入欄（３ｆ）、該契約者が該生命保険に加入した際の該契約者ないし該被保険者の年齢を記入するための加入年齢記入欄（３ｇ）、該生命保険に係る保険金の受取人を記入するための受取人記入欄（３ｈ）、該生命保険に係る保障の内容に関する情報を記入するための保障の内容の欄（３ｉ）として、該生命保険の種別を記入するための保険種別の欄（３ｉ１）、該生命保険によって保障を受けることができる期間を記入するための保険期間の欄（３ｉ２）、該契約者が該保険者に該生命保険に係る保険料を支払う払込期間を記入するための払込期間の欄（３ｉ３）、該被保険者の普通死亡により支払われる保険金の金額を記入するための普通死亡の欄（３ｉ４）、該被保険者の災害死亡又は高度傷害により支払われる保険金の金額を記入するための災害傷害の欄（３ｉ５）、該被保険者が入院した場合に支払われる保険金の金額を記入するための入院の欄（３ｉ６）、該生命保険によって保険金が支払われるための各種の条件を記入するための条件の欄（３ｉ７）、これら以外の該生命保険に係る保障の内容に関する情報を記入するためのその他の欄（３ｉ８）、該保険者に支払う生命保険料に関する情報を記入するための生命保険料の欄（３ｊ）として、該生命保険料を支払う回数を記入するための払方の欄（３ｊ１）、該生命保険料の月額を記入するための月額生命保険料の欄（３ｊ２）、該生命保険料の年額を記入するための年額生命保険料の欄（３ｊ３）、該契約者自身を保障の対象とする生命保険に係る保険料の合計額を記入するための契約者対象生命保険料合計額の欄（３ｊ４）、該契約者の家族を保障の対象とする生命保険に係る保険料の合計額を記入するための家族対象生命保険料合計額の欄（３ｊ５）、該契約者が加入する生命保険に係る保険料の合計額を記入するための生命保険料合計額の欄（３ｊ６）の各欄の内から選択された一部又は全部の欄が設けられている。
【００２５】
請求項４に係る保険管理表（１）は、請求項１から３までの何れかに記載した保険管理表であって、損害保険関連情報記入表（４）には、前記契約者が該損害保険に加入する目的を記入するための目的記入欄（４ａ）、該損害保険による補償を提供する保険者を記入するための保険者記入欄（４ｂ）、該損害保険による保険期間の始まる日付を記入するための始期記入欄（４ｃ）、該損害保険に加入している契約者を記入するための契約者記入欄（４ｄ）、該損害保険の被保険者を記入するための被保険者記入欄（４ｅ）、該損害保険の対象物を記入するための対象物記入欄（４ｆ）、該損害保険に係る補償の内容に関する情報を記入するための補償の内容の欄（４ｇ）として、該損害保険の種別を記入するための保険種別の欄（４ｇ１）、該損害保険によって補償を受けることができる期間を記入するための保険期間の欄（４ｇ２）、該契約者が該保険者に該損害保険に係る保険料を支払う払込期間を記入するための払込期間の欄（４ｇ３）、保険事故の発生により支払われる保険金の金額を記入するための補償額の欄（４ｇ４）、該被保険者が他人に損害賠償を行う際の補償について記入するための個人賠償の欄（４ｇ５）、該被保険者がその身体に傷害を負った場合の補償について記入するための傷害の欄（４ｇ６）、保険事故の解決を弁護士に依頼する場合の補償について記入するための弁護士費用の欄（４ｇ７）、該保険者に支払う損害保険料に関する情報を記入するための損害保険料の欄（４ｈ）として、該損害保険料を支払う回数を記入するための払方の欄（４ｈ１）、該損害保険料の月額を記入するための月額損害保険料の欄（４ｈ２）、該損害保険料の年額を記入するための年額損害保険料の欄（４ｈ３）、該契約者が加入する該損害保険に係る保険料の合計額を記入するための損害保険料合計額の欄（４ｈ４）、該損害保険に関するこれら以外の情報を記入するためのその他の欄（４ｉ）の各欄の内から選択された一部又は全部の欄が設けられている。
【００２６】
請求項５に係る保険管理表（１）は、請求項１から４までの何れかに記載した保険管理表であって、前記契約者の個人情報を記入するための表形式の契約者情報記入表（７）が含まれている。
【００２７】
請求項６に係る保険管理表（１）は、請求項５に記載した保険管理表であって、契約者情報記入表（７）には、前記契約者の氏名を記入するための氏名記入欄（７ａ）、該契約者の自宅住所を記入するための住所記入欄（７ｂ）、該契約者が保有する電話番号を記入するための電話番号記入欄（７ｃ）、該契約者の勤務先の名称を記入するための勤務先名称記入欄（７ｄ）、該契約者の勤務先の所在地を記入するための勤務先所在地記入欄（７ｅ）、該契約者の勤務先の電話番号を記入するための勤務先電話番号記入欄（７ｆ）の各欄の内から選択された一部又は全部の欄が設けられている。
【００２８】
請求項７に係る保険管理表（１）は、請求項１から６までの何れかに記載した保険管理表であって、前記契約者の家族に関する情報を記入するための表形式の家族情報記入表（８）が含まれている。
【００２９】
請求項８に係る保険管理表（１）は、請求項７に記載した保険管理表であって、家族情報記入表（８）には、前記契約者の家族の氏名を記入するための氏名記入欄（８ａ）、該家族の生年月日を記入するための生年月日記入欄（８ｂ）、該家族の該契約者との続柄を記入するための続柄記入欄（８ｃ）の各欄の内から選択された一部又は全部の欄が設けられている。
【考案の効果】
【００３０】
本考案に係る保険管理表は、上記の通りの構成であるから、以下のような効果を奏することができる。
【００３１】
まず、請求項１に係る保険管理表（１）は、保険履歴記入表（２）が含まれていることから、その作成の対象となる契約者の保険に関する履歴も一覧的に把握することができる。従って、請求項１に記載した保険管理表（１）は、その作成の対象となる契約者が加入する保険に係る各種の情報を一覧表にまとめた保険管理表につき、該契約者の保険に関する履歴も一覧的に把握することができるようにした保険管理表を提供するという本考案の解決しようとする第一の課題を解決することができる。
【００３２】
次に、請求項１に係る保険管理表（１）は、生命保険関連情報記入表（３）と損害保険関連情報記入表（４）とが含まれていることから、生命保険と損害保険とに大別して契約者による保険の加入状況を把握することができる。従って、請求項１に係る保険管理表（１）は、その作成の対象となる契約者が加入する保険に係る各種の情報を一覧表にまとめた保険管理表につき、該契約者による保険の加入状況を生命保険と損害保険とに大別して一覧的に把握することができるようにした保険管理表を提供するという本考案の解決しようとする第二の課題を解決することができる。
【００３３】
そして、請求項１に係る保険管理表（１）は、生命保険関連情報記入表（３）が契約者対象保険情報記入部（５）と家族対象保険情報記入部（６）とに区分けされていることから、その作成の対象となる契約者の家族に対する保障の内容も把握することができる。従って、請求項１に記載した保険管理表（１）は、契約者が加入する保険に係る各種の情報を一覧表にまとめた保険管理表につき、その作成の対象となる契約者の家族に対する保障の内容を一覧的に把握することができるようにした保険管理表を提供するという本考案の解決しようとする第三の課題を解決することができる。
【００３４】
更に、請求項２に係る保険管理表（１）は、請求項１に記載した保険管理表であって、保険履歴記入表（２）には、履歴記入欄（２ａ）、日付記入欄（２ｂ）、関係者記入欄（２ｃ）、関係者連絡先記入欄（２ｄ）の各欄の内から選択された一部又は全部の欄が設けられている。そうすると、請求項２に係る保険管理表（１）によれば、その作成の対象となる契約者の保険に関する履歴を一欄的に把握することが容易になり、好適である。
【００３５】
また、請求項３に係る保険管理表（１）は、請求項１又は２に記載した保険管理表であって、生命保険関連情報記入表（３）には、目的記入欄（３ａ）、保険者記入欄（３ｂ）、証券番号記入欄（３ｃ）、契約日記入欄（３ｄ）、契約者記入欄（３ｅ）、被保険者記入欄（３ｆ）、加入年齢記入欄（３ｇ）、受取人記入欄（３ｈ）、保障の内容の欄（３ｉ）として、保険種別の欄（３ｉ１）、保険期間の欄（３ｉ２）、払込期間の欄（３ｉ３）、普通死亡の欄（３ｉ４）、災害傷害の欄（３ｉ５）、入院の欄（３ｉ６）、条件の欄（３ｉ７）、その他の欄（３ｉ８）、生命保険料の欄（３ｊ）として、払方の欄（３ｊ１）、月額生命保険料の欄（３ｊ２）、年額生命保険料の欄（３ｊ３）、契約者対象生命保険料合計額の欄（３ｊ４）、家族対象生命保険料合計額の欄（３ｊ５）、生命保険料合計額の欄（３ｊ６）の各欄の内から選択された一部又は全部の欄が設けられている。そうすると、請求項３に係る保険管理表（１）によれば、その作成の対象となる契約者が加入する生命保険に関連する各種の情報を一欄的に把握することが容易になり、好適である。請求項３に係る保険管理表（１）は、特に保障の内容の欄（３ｉ）が設けられているため、その作成の対象となる契約者が加入する保険に係る各種の情報を一覧表にまとめた保険管理表につき、該契約者の加入する保険に係る保障内容についての重複の有無を一覧的に把握することができるようにした保険管理表を提供するという本考案の解決しようとする第四の課題を解決することができる。
【００３６】
そして、請求項４に係る保険管理表（１）は、請求項１から３までの何れかに記載した保険管理表であって、損害保険関連情報記入表（４）には、目的記入欄（４ａ）、保険者記入欄（４ｂ）、始期記入欄（４ｃ）、契約者記入欄（４ｄ）、被保険者記入欄（４ｅ）、対象物記入欄（４ｆ）、補償の内容の欄（４ｇ）として、保険種別の欄（４ｇ１）、保険期間の欄（４ｇ２）、払込期間の欄（４ｇ３）、補償額の欄（４ｇ４）、個人賠償の欄（４ｇ５）、傷害の欄（４ｇ６）、弁護士費用の欄（４ｇ７）、損害保険料の欄（４ｈ）として、払方の欄（４ｈ１）、月額損害保険料の欄（４ｈ２）、年額損害保険料の欄（４ｈ３）、損害保険料合計額の欄（４ｈ４）、これら以外の当該損害保険に関する情報を記入するためのその他の欄（４ｉ）の各欄の内から選択された一部又は全部の欄が設けられている。そうすると、請求項４に係る保険管理表（１）によれば、契約者が加入する損害保険に関連する各種の情報を一欄的に把握することが容易になり、好適である。請求項４に係る保険管理表（１）は、特に補償の内容の欄（４ｇ）が設けられているため、その作成の対象となる契約者が加入する保険に係る各種の情報を一覧表にまとめた保険管理表につき、該契約者の加入する保険に係る補償内容についての重複の有無を一覧的に把握することができるようにした保険管理表を提供するという本考案の解決しようとする第四の課題を解決することができる。
【００３７】
次に、請求項５に係る保険管理表（１）は、請求項１から４までの何れかに記載した保険管理表であって、契約者情報記入表（７）が含まれていることから、その作成の対象となる契約者の個人情報もあわせて把握することができ、好適である。
【００３８】
ここで、請求項６に係る保険管理表（１）は、請求項５に記載した保険管理表であって、契約者情報記入表（７）には、氏名記入欄（７ａ）、住所記入欄（７ｂ）、電話番号記入欄（７ｃ）、勤務先名称記入欄（７ｄ）、勤務先所在地記入欄（７ｅ）、勤務先電話番号記入欄（７ｅ）の各欄の内から選択された一部又は全部の欄が設けられている。そうすると、請求項６に係る保険管理表（１）によれば、その作成の対象となる契約者の個人情報を一欄的に把握することが容易になり、好適である。
【００３９】
最後に、請求項７に係る保険管理表（１）は、請求項１から６までの何れかに記載した保険管理表であって、家族情報記入表（８）が含まれていることから、その作成の対象となる契約者の家族に関する情報もあわせて把握することができ、好適である。
【００４０】
ここで、請求項８に係る保険管理表（１）は、請求項７に記載した保険管理表であって、家族情報記入表（８）には、氏名記入欄（８ａ）、生年月日記入欄（８ｂ）、続柄記入欄（８ｃ）の各欄の内から選択された一部又は全部の欄が設けられている。そうすると、請求項８に係る保険管理表（１）によれば、その作成の対象となる契約者の家族に関する情報を一欄的に把握することが容易になり、好適である。
【図面の簡単な説明】
【００４１】
【図１】本考案の一実施形態に係る保険管理表の全体を示した説明図である。
【図２】本考案の一実施形態に係る保険管理表における保険履歴記入表を示した部分説明図である。
【図３】本考案の一実施形態に係る保険管理表における生命保険関連情報記入表表を示した部分説明図である。
【図４】本考案の一実施形態に係る保険管理表における損害保険関連情報記入表を示した部分説明図である。
【図５】本考案の一実施形態に係る保険管理表における契約者情報記入表を示した部分説明図である。
【図６】本考案の一実施形態に係る保険管理表における家族情報記入表を示した部分説明図である。
【考案を実施するための形態】
【００４２】
以下に、本考案の一実施形態に係る保険管理表の構造及びその使用態様について添付図面に基づいて説明する。
【００４３】
保険管理表（１）は、図１に図示するように、その作成の対象となる契約者が加入する保険に係る各種の情報を一覧表にまとめた保険管理表であって、保険履歴記入表（２）と、生命保険関連情報記入表（３）と、損害保険関連情報記入表（４）とが含まれている。
【００４４】
保険履歴記入表（２）は、図１及び２に図示するように、その作成の対象となる契約者の保険に関する履歴を記入するための表形式の表であって、以下の各欄が設けられている。保険管理表（１）は、保険履歴記入表（２）を含むことから、該契約者の保険に関する履歴も一覧的に把握することができる。
【００４５】
保険履歴記入表（２）には、履歴記入欄（２ａ）が設けられている。履歴記入欄（２ａ）は、該契約者に生じた保険に関する出来事を記入するための欄である。例えば、図示するように、契約者に対して生命保険の内容を説明した場合には、「生命保険の内容を説明した」と履歴記入欄（２ａ）に記入する。
【００４６】
保険履歴記入表（２）には、日付記入欄（２ｂ）が設けられている。日付記入欄（２ｂ）は、該出来事が生じた日付を記入するための欄である。例えば、図示するように、上記の契約者に対して生命保険の内容を説明したのが平成２２年２月８日である場合には、「Ｈ２２．２．８」と日付記入欄（２ｂ）に記入する。
【００４７】
保険履歴記入表（２）には、関係者記入欄（２ｃ）が設けられている。関係者記入欄（２ｃ）は、該出来事に関係した関係者を記入するための欄である。例えば、図示するように、上記の契約者に対して生命保険の内容を説明したのが○田○美である場合には、「○田」と関係者記入欄（２ｃ）に記入する。
【００４８】
保険履歴記入表（２）には、関係者連絡先記入欄（２ｄ）が設けられている。関係者連絡先記入欄（２ｄ）は、該関係者の連絡先を記入するための欄である。例えば、図示するように、上記の○田○美の保有する携帯電話の番号が○○○−００００−００００であればである場合には、「○田○美○○○−００００−００００」と関係者連絡先記入欄（２ｄ）に記入する。
【００４９】
保険管理表（１）は、上記の通り、保険履歴記入表（２）に、履歴記入欄（２ａ）と、日付記入欄（２ｂ）と、関係者記入欄（２ｃ）と、関係者連絡先記入欄（２ｄ）とが設けられているため、その作成の対象となる契約者の保険に関する履歴を一欄的に把握することが容易になり、好適である。尚、保険履歴記入表（２）には、上記の各欄を全部設けることもできるが、上記の各欄の内から選択した一部の欄を設けることもできる。
【００５０】
生命保険関連情報記入表（３）は、図１及び３に図示するように、その作成の対象となる契約者が加入する生命保険に関連する各種の情報を記入するための表形式の表である。
【００５１】
生命保険関連情報記入表（３）は、該契約者自身を保障の対象とする生命保険に関する各種の情報を記入するための契約者対象保険情報記入部（５）と、該契約者の家族を保障の対象とする生命保険に関する各種の情報を記入するための家族対象保険情報記入部（６）とが区分けされているため、保険管理表（１）によれば、該契約者の家族に対する保障の内容を一覧的に把握することができる。
【００５２】
生命保険関連情報記入表（３）には、目的記入欄（３ａ）が設けられている。目的記入欄（３ａ）は、該契約者が該生命保険に加入する目的を記入するための欄である。例えば、図示するように、該生命保険が該契約者の老後の資金を蓄えることを目的とする保険である場合には目的記入欄（３ａ）に「老後資金の備え」と記入する。
【００５３】
生命保険関連情報記入表（３）には、保険者記入欄（３ｂ）が設けられている。保険者記入欄（３ｂ）は、該生命保険による保障を提供する保険者について記入するための欄である。例えば、図示するように、該生命保険による保障を提供する保険者が○○生命保険株式会社である場合には、保険者記入欄（３ｂ）に「○○生命」と記入する。
【００５４】
生命保険関連情報記入表（３）には、証券番号記入欄（３ｃ）が設けられている。証券番号記入欄（３ｃ）は、該生命保険の証券番号を記入するための欄である。例えば、図示するように、該生命保険の証券番号が○○−１２３４である場合には証券番号記入欄（３ｃ）に「○○−１２３４」と記入する。そうすると、契約者が保険証券を紛失等した場合にも保険者との間での連絡を円滑に行うことができて好適である。
【００５５】
生命保険関連情報記入表（３）には、契約日記入欄（３ｄ）が含まれている。契約日記入欄（３ｄ）は、該契約者が該生命保険に加入した日付を記入するための欄である。例えば、図示するように、該契約者が該生命保険に加入した日が平成２２年３月１日である場合には契約日記入欄（３ｄ）に「Ｈ２２．３．１」と記入する。
【００５６】
生命保険関連情報記入表（３）には、契約者記入欄（３ｅ）が設けられている。契約者記入欄（３ｅ）は、該生命保険に加入している契約者を記入するための欄である。例えば、図示するように、該生命保険の契約者が×川×郎である場合には契約者記入欄（３ｅ）に「×川×郎」と記入する。
【００５７】
生命保険関連情報記入表（３）には、被保険者記入欄（３ｆ）が含まれている。被保険者記入欄（３ｆ）は、該生命保険による保障の対象となる被保険者を記入するための欄である。例えば、図示するように、当該生命保険の被保険者が×川×郎である場合には被保険者記入欄（３ｆ）に「×川×郎」と記入する。
【００５８】
生命保険関連情報記入表（３）には、加入年齢記入欄（３ｇ）が含まれている。加入年齢記入欄（３ｇ）は、該契約者が該生命保険に加入した際の該契約者ないし被保険者の年齢を記入するための欄である。例えば、図示するように、契約者が当該生命保険に加入した際の年齢が３５歳である場合には加入年齢記入欄（３ｇ）に「３５」と記入する。
【００５９】
生命保険関連情報記入表（３）には、受取人記入欄（３ｈ）が含まれている。受取人記入欄（３ｈ）は、該生命保険に係る保険金の受取人を記入するための欄である。例えば、図示するように、当該生命保険に係る保険金の受取人が×川○子である場合には受取人記入欄（３ｈ）に「×川○子」と記入する。
【００６０】
生命保険関連情報記入表（３）には、該生命保険に係る保障の内容に関する情報を記入するための保障の内容の欄（３ｉ）として、保険種別の欄（３ｉ１）と、保険期間の欄（３ｉ２）と、払込期間の欄（３ｉ３）と、普通死亡の欄（３ｉ４）と、災害傷害の欄（３ｉ５）と、入院の欄（３ｉ６）と、条件の欄（３ｉ７）と、その他の欄（３ｉ８）とが設けられている。
【００６１】
保険種別の欄（３ｉ１）は、該生命保険の種別を記入するための欄である。例えば、図示するように、該生命保険が定期付き終身保険である場合には保険種別の欄（３ｉ１）に「定期付終身保険」と記入する。
【００６２】
保険期間の欄（３ｉ２）は、該生命保険によって保障を受けることができる期間を記入するための欄である。例えば、図示するように、該生命保険において定期保険に係る部分は契約者が６５歳になるまで保障するのに対して死亡保険に係る部分は契約者が死亡するまで保障する場合には保険期間の欄（３ｉ２）に「６５歳／終身」と記入する。
【００６３】
払込期間の欄（３ｉ３）は、該契約者が該保険者に該生命保険に係る保険料を支払う払込期間を記入するための欄である。例えば、図示するように、該生命保険に係る保険料を契約者が６５歳になるまで払い込む必要がある場合には払込期間の欄（３ｉ３）に「６５歳」と記入する。
【００６４】
普通死亡の欄（３ｉ４）は、被保険者が疾病や不慮の事故等によって普通死亡した場合に支払われる普通死亡保険金の金額を記入するための欄である。例えば、図示するように、当該生命保険による普通死亡保険金の金額が３０００万円である場合には普通死亡の欄（３ｉ４）に「３千万円」と記入する。
【００６５】
災害傷害の欄（３ｉ５）は、所定の伝染病等によって災害死亡した場合又は所定の身体障害等を負った等の高度の傷害を負った場合により支払われる保険金の金額を記入するための欄である。例えば、図示するように、当該生命保険における災害死亡又は高度傷害により支払われる保険金の金額が１千万円である場合には災害傷害の欄（３ｉ５）に「１千万円」と記入する。一般に生命保険では、災害死亡又は高度障害は契約者と保険者との間で特約を締結することによって該生命保険の保障の対象となるため、災害傷害の欄（３ｉ５）を設けることによって、契約者が加入する生命保険の内のいずれの保険が災害死亡又は高度傷害に対する保障を行っているのかを一欄的に把握することができ、好適である。
【００６６】
入院の欄（３ｉ６）は、病気又は傷害等によって該被保険者が入院した場合に支払われる保険金の金額を記入するための欄である。例えば、図示するように、該生命保険における被保険者が入院した場合に支払われる保険金の金額が１日当たり２万円である場合には入院の欄（３ｊ６）に「２万円／１日」と記入する。一般に生命保険では、被保険者の入院は契約者と保険者との間で特約を締結することによって該生命保険の保障の対象となるため、入院の欄（３ｉ６）を設けることによって、契約者が加入する生命保険の内いずれの保険が被保険者の入院に対する保障を行っているのかを一欄的に把握することができ、好適である。また、被保険者が入院した場合に支払われる保険金は、保険者に対する請求を失念することがよくあるところ、入院の欄（３ｉ６）を設けることによって、保険者への請求の失念を防止することができる。
【００６７】
条件の欄（３ｉ７）は、該生命保険によって保険金が支払われるための各種の条件を記入するための欄である。例えば、図示するように、該学資保険において×川△香が小学校・中学校・高等学校に入学したことを条件としてお祝い金が支払われる場合には、条件の欄（３ｉ７）に「小中高入学時祝い金支給」と記入する。
【００６８】
その他の欄（３ｉ８）は、上記の保険種別の欄（３ｉ１）ないし条件の欄（３ｉ７）以外の保障の内容について記入するための欄である。例えば、図示するように、当該生命保険は被保険者が６５歳になった以後は普通死亡保険金の金額が５００万円である場合にはその他の欄（３ｉ８）に「６５歳以後は死亡保障が５００万円」と記入する。
【００６９】
生命保険関連情報記入表（３）には、該保険者に支払う保険料に関する情報を記入するための保険料の欄（３ｊ）として、払方の欄（３ｊ１）と、月額生命保険料の欄（３ｊ２）と、年額生命保険料の欄（３ｊ３）と、契約者生命保険料合計額の欄（３ｊ４）と、家族生命保険料合計額の欄（３ｊ５）と、生命保険料合計額の欄（３ｊ６）とが設けられている。
【００７０】
払方の欄（３ｊ１）は、該生命保険料を支払う回数を記入するための欄である。例えば、図示するように、該生命保険の保険料が月払いである場合には払方の欄（３ｊ１）に「月」と記入する。そうすると、該契約者が該生命保険料の支払いを失念することを防止できる。
【００７１】
月額保険料の欄（３ｊ２）は、該生命保険に係る保険料の月額を記入するための欄である。例えば、図示するように、該生命保険の保険料の月額が２万円である場合には月額保険料の欄（３ｊ２）に「２０，０００」と記入する。
【００７２】
年額保険料の欄（３ｊ３）は、該生命保険に係る生命保険料の年額を記入するための欄である。例えば、図示するように、当該生命保険における保険料の年額が２４万円である場合には年額保険料の欄（３ｊ３）に「２４０，０００」と記入する。
【００７３】
契約者対象生命保険料合計額の欄（３ｊ４）は、該契約者自身を保障の対象とする生命保険に係る保険料の合計額を記入するための欄である。例えば、図示するように、×川×郎氏を保障の対象とする生命保険における保険料の月額が４万７千円であるとともに年額が５６万４千円である場合には、契約者対象保険生命料合計額の欄（３ｊ４）にそれぞれ「４７，０００」及び「５６４，０００」と記入する。
【００７４】
家族対象生命保険料合計額の欄（３ｊ５）は、該契約者の家族を保障の対象とする生命保険に係る保険料の合計額を記入するための欄である。例えば、図示するように、×川×郎の家族である×川○子及び×川△香を保障の対象とする生命保険における保険料の月額が１万３千円であるとともに年額が１５万６千円である場合には、家族対象生命保険料合計額の欄（３ｊ５）に「１３，０００」及び「１５６，０００」とそれぞれ記入する。
【００７５】
生命保険料合計額の欄（３ｊ６）は、契約者が加入する生命保険に係る保険料の合計額を記入するための欄である。例えば、図示するように、×川×郎が加入する生命保険における保険料の月額の合計額が６万円であるとともに年額が７２万円である場合には、生命保険料合計額の欄（３ｊ６）に「６万円」及び「７２万円」とそれぞれ記入する。
【００７６】
月額保険料の欄（３ｊ２）、年額保険料の欄（３ｊ３）、契約者対象生命保険料合計額の欄（３ｊ４）、家族対象生命保険料合計額の欄（３ｊ５）、及び生命保険料合計額の欄（３ｊ６）に所定の保険料の金額を記入することによって、該契約者が加入する生命保険に係る保険料の合計と内訳を瞬時に把握することができる。
【００７７】
保険管理表（１）は、上記の通り、生命保険関連情報記入表（３）に、目的記入欄（３ａ）と、保険者記入欄（３ｂ）と、証券番号記入欄（３ｃ）と、契約日記入欄（３ｄ）と、契約者記入欄（３ｅ）と、被保険者記入欄（３ｆ）と、加入年齢記入欄（３ｇ）と、受取人記入欄（３ｈ）とを設け、保障の内容の欄（３ｉ）として、保険種別の欄（３ｉ１）と、保険期間の欄（３ｉ２）と、払込期間の欄（３ｉ３）と、普通死亡の欄（３ｉ４）と、災害傷害の欄（３ｉ５）と、入院の欄（３ｉ６）と、条件の欄（３ｉ７）と、その他の欄（３ｉ８）とを設け、生命保険料の欄（３ｊ）として、払方の欄（３ｊ１）と、月額生命保険料の欄（３ｊ２）と、年額生命保険料の欄（３ｊ３）と、契約者生命保険料合計額の欄（３ｊ４）と、家族生命保険料合計額の欄（３ｊ５）と、生命保険料合計額の欄（３ｊ６）とが設けられているため、その作成の対象となる契約者が加入する生命保険に係る情報を一欄的に把握することが容易になり、好適である。保険管理表（１）は、特に保障の内容の欄（３ｉ）が設けられているため、該契約者が加入する保険に係る各種の情報を一覧表にまとめた保険管理表につき、該契約者の加入する保険に係る保障内容についての重複の有無を一覧的に把握することができる。尚、生命保険関連情報記入表（３）には、上記の各欄を全部設けることもできるが、上記の各欄の内から選択した一部の欄を設けることもできる。
【００７８】
損害保険関連情報記入表（４）は、図１及び４に図示するように、その作成の対象となる契約者が加入する損害保険に関連する各種の情報を記入するための表形式の表である。
【００７９】
損害保険関連情報記入表（４）には、目的記入欄（４ａ）が設けられている。目的記入欄（４ａ）は、該契約者が該損害保険に加入する目的を記入するための欄である。例えば、図示するように、該損害保険が自動車事故に備えることを目的とする保険である場合には目的記入欄（４ａ）に「自動車事故への備え」と記入する。
【００８０】
損害保険関連情報記入表（４）には、保険者記入欄（４ｂ）が設けられている。保険者記入欄（４ｂ）は、該損害保険による補償を提供する保険者について記入するための欄である。例えば、図示するように、当該損害保険による保障を提供する保険者が△△損害保険株式会社である場合には、保険者記入欄（４ｂ）に「△△損害」と記入する。
【００８１】
損害保険関連情報記入表（４）には、始期記入欄（４ｃ）が設けられている。始期記入欄（４ｃ）は、該損害保険による保険期間の始まる日付を記入するための欄である。例えば、図示するように、該損害保険による保護期間が始まったのが平成２３年１２月１日である場合には、始期記入欄（４ｃ）に「Ｈ２３．１２．１」と記入する。
【００８２】
損害保険関連情報記入表（４）には、契約者記入欄（４ｄ）が設けられているる。契約者記入欄（４ｄ）は、該損害保険に加入している契約者を記入するための欄である。例えば、図示するように、当該損害保険の契約者が×川×郎である場合には契約者記入欄（４ｄ）に「×川×郎」と記入する。
【００８３】
損害保険関連情報記入表（４）には、被保険者記入欄（４ｅ）が設けられている。被保険者記入欄（４ｅ）は、該損害保険の補償の対象となる被保険者を記入するための欄である。例えば、図示するように、該損害保険の被保険者が×川×郎である場合には、被保険者記入欄（４ｅ）に「×川×郎」と記入する。
【００８４】
損害保険関連情報記入表（４）には、対象物記入欄（４ｆ）が設けられている。対象物記入欄（４ｆ）は、該損害保険の対象物を記入するための欄である。例えば、図示するように、該損害保険の対象物が×川×郎の所有する自動車である場合には、対象物記入欄（４ｆ）にその自動車登録番号及び自動車の種類を記入する。
【００８５】
損害保険関連情報記入表（４）には、該損害保険に係る補償の内容に関する情報を記入するための補償の内容の欄（４ｇ）として、保険種別の欄（４ｇ１）と、保険期間の欄（４ｇ２）と、払込期間の欄（４ｇ３）と、補償額の欄（４ｇ４）と、個人賠償の欄（４ｇ５）と、傷害の欄（４ｇ６）と、弁護士費用の欄（４ｇ７）とが設けられている。
【００８６】
保険種別の欄（４ｇ１）は、該損害保険の種別を記入するための欄である。例えば、図示するように、該損害保険が自動車保険である場合には保険種別の欄（４ｇ１）に「自動車保険」と記入する。該損害保険の種別を保険種別の欄（４ｇ１）に記入することによって、契約者が加入する損害保険の種別を一欄的に把握することができる。
【００８７】
保険期間の欄（４ｇ２）は、該損害保険によって補償を受けることができる期間を記入するための欄である。例えば、図示するように、該損害保険における保険期間が平成２３年１２月１日から３年間である場合には保険期間の欄（４ｇ２）に「３年」と記入する。そうすると、契約者が加入する損害保険により保障を受けることができる期間を明確に認識することができ、好適である。
【００８８】
払込期間の欄（４ｇ３）は、該契約者が該保険者に該損害保険に係る保険料を支払う払込期間を記入するための欄である。例えば、図示するように、該損害保険に係る保険料を３年間払い込む必要がある場合には払込期間の欄（４ｇ３）に「３年」と記入する。そうすると、契約者が加入する損害保険に係る保険料を保険者に対していつまで支払わなければならないのかを明確に認識することができ、好適である。
【００８９】
補償額の欄（４ｇ４）は、保険事故の発生により支払われる保険金の金額を記入するための欄である。例えば、図示するように、当該損害保険による自動車事故の発生により支払われる保険金の金額が１２５万円である場合には補償額の欄（４ｇ４）に「１２５万円」と記入する。
【００９０】
個人賠償の欄（４ｇ５）は、該被保険者が他人に損害賠償を行う際の補償について記入するための欄であり、具体的にはその補償の有無ないし補償がある場合に支払われる保険金の金額等を記入するための欄である。例えば、図示するように、該損害保険において該被保険者ないしその家族が不注意により他人に傷害を負わせたりあるいは他人の財物を損壊したりした場合にも補償があり、その際に他人に生じさせた損害を賠償する際に支払われる保険金の金額に制限がない場合には個人賠償の欄（４ｇ５）に「無制限」と記入する。
【００９１】
傷害の欄（４ｇ６）は、該被保険者がその身体に傷害を負った場合の補償について記入するための欄であり、具体的にはその補償の有無や対象ないし補償がある場合に支払われる保険金の金額等を記入するための欄である。例えば、図示するように、該損害保険において該被保険者が自転車事故等の自動車事故以外の事故によってその身体に傷害を負った場合にも補償があり、その際に支払われる保険金の金額が最大で１千万円である場合には、傷害の欄（４ｇ６）に「１千万円」と記入する。あわせて、該被保険者が該損害保険に加入している自動車に搭乗している際に遭った事故による傷害のみを補償の対象とする車内補償の場合には「車内補償のみ」と記入し、該被保険者が歩行中に遭った事故等の該損害保険が対象とする自動車に搭乗していない際に遭った事故による傷害も補償の対象とする車外補償の場合には「車外補償あり」と記入することもできる。そうすると、該契約者が複数の自動車を保有しており、それぞれの自動車について自動車保険に加入する際に、重複する内容となる車外補償は不要であるところ、車外補償が重複しているか否かを簡便に確認することができる。また、様々な事故による傷害に限定して補償の対象とする傷害保険も提供されているところ、契約者が加入している自動車保険が車外補償も行うのであれば、重複する内容の補償となるため、交通事故による傷害を補償の対象とする傷害保険は不要であることを簡便に確認することもできる。
【００９２】
弁護士費用の欄（４ｇ７）は、保険事故の解決を弁護士に依頼する場合の補償について記入するための欄であり、具体的にはその補償の有無ないし補償がある場合に支払われる保険金の金額を記入するための欄である。例えば、図示するように、当該損害保険において自動車事故を起こした被保険者がその事故の相手方との示談交渉を弁護士に依頼した場合にも補償があり、その際に支払われる保険金の金額が最大で３百万円である場合には、弁護士費用の欄（４ｇ７）に「３百万円」と記入する。当該保険事故の解決を弁護士に依頼する場合に支払われる保険金の金額を弁護士費用の欄（４ｇ７）に記入することによって、当該保険事故の解決を弁護士に依頼する場合に契約者が加入する損害保険により支払われる保険金の金額を一欄的に把握することができる。
【００９３】
損害保険関連情報記入表（４）には、該保険者に支払う損害保険料に関する情報を記入するための損害保険料の欄（４ｈ）として、払方の欄（４ｈ１）と、月額損害保険料の欄（４ｈ２）と、年額損害保険料の欄（４ｈ３）と、損害保険料合計額の欄（４ｈ４）とが設けられている。
【００９４】
払方の欄（４ｈ１）は、該損害保険に係る損害保険料を支払う回数を記入するための欄である。例えば、図示するように、該損害保険料が月払いである場合には払方の欄（４ｈ１）に「月」と記入する。そうすると、契約者が該損害保険料の支払いを失念することを防止できる。
【００９５】
月額損害保険料の欄（４ｈ２）は、該損害保険に係る損害保険料の月額を記入するための欄である。例えば、図示するように、該損害保険料の月額が５千円である場合には月額保険料の欄（４ｈ２）に「５千円」と記入する。
【００９６】
年額損害保険料の欄（４ｈ３）は、該損害保険に係る損害保険料の年額を記入するための欄である。例えば、図示するように、該損害保険料の年額が６万円である場合には年額損害保険料の欄（４ｈ３）に「６万円」と記入する。
【００９７】
損害保険料合計額の欄（４ｈ４）は、該契約者が加入する損害保険に係る保険料の合計額を記入するための欄である。例えば、図示するように、×川×郎が加入する損害保険に係る保険料の月額の合計額が５千円であるとともに年額が８万円である場合には、損害保険料合計額の欄（４ｈ４）に「５，０００」及び「８０，０００」とそれぞれ記入する。
【００９８】
月額損害保険料の欄（４ｈ２）、年額保険料の欄（４ｈ３）、及び損害保険料合計額の欄（４ｈ４）に所定の保険料の金額を記入することによって、契約者が加入する生命保険に係る保険料の合計と内訳を瞬時に把握することができる。
【００９９】
損害保険関連情報記入表（４）には、その他の欄（４ｉ）が設けられている。その他の欄（４ｉ）は、上記の目的記入欄（４ａ）ないし保険料の欄（４ｈ）以外の該損害保険に関する情報を記入するための欄である。例えば、図示するように、該損害保険が新車に大きな損害が生じた場合に改めて新車を購入したときの再購入費用について保険金を支払う車両真価特約付きの保険である場合には、その他の欄（４ｉ）に「車両真価特約付帯」と記入する。
【０１００】
保険管理表（１）は、上記の通り、損害保険関連情報記入表（４）に、図示するように、目的記入欄（４ａ）、保険者記入欄（４ｂ）と、始期記入欄（４ｃ）と、契約者記入欄（４ｄ）と、被保険者記入欄（４ｅ）と、対象物記入欄（４ｆ）とを設け、補償の内容の欄（４ｇ）として、保険種別の欄（４ｇ１）と、保険期間の欄（４ｇ２）と、払込期間の欄（４ｇ３）と、補償額の欄（４ｇ４）と、個人賠償の欄（４ｇ５）と、傷害の欄（４ｇ６）と、弁護士費用の欄（４ｇ７）とを設け、更に、損害保険料の欄（４ｈ）として、払方の欄（４ｈ１）と、月額損害保険料の欄（４ｈ２）と、年額損害保険料の欄（４ｈ３）と、損害保険料合計額の欄（４ｈ４）と、これら以外の該損害保険に関する情報を記入するためのその他の欄（４ｉ）とが設けられているため、その作成の対象となる契約者が加入する損害保険に係る情報を一欄的に把握することが容易になり、好適である。保険管理表（１）は、特に補償の内容の欄（４ｇ）が設けられているため、契約者が加入する保険に係る各種の情報を一覧表にまとめた保険管理表につき、契約者の加入する保険に係る補償内容についての重複の有無を一覧的に把握することができる。尚、損害保険関連情報記入表（４）には、上記の各欄を全部設けることもできるが、上記の各欄の内から選択した一部の欄を設けることもできる。
【０１０１】
保険管理表（１）は、上記のように生命保険関連情報記入表（３）と損害保険関連情報記入表（４）とを含んでいることから、該契約者による保険の加入状況を生命保険と損害保険とに大別して一覧的に把握することができる。
【０１０２】
契約者情報記入表（７）は、図１及び５に図示するように、保険管理表（１）の作成の対象となる契約者の個人情報を記入するための表形式の表である。保険管理表（１）は、契約者情報記入表（７）を含んでいることから、該契約者の個人情報もあわせて把握することができ、好適である。
【０１０３】
契約者情報記入表（７）には、氏名記入欄（７ａ）が設けられている。氏名記入欄（７ａ）は、該契約者の氏名を記入するための欄である。例えば、図示するように、×川×郎を対象者として保険管理表（１）を作成する場合には氏名記入欄（７ａ）に「×川×郎」と記入する。
【０１０４】
契約者情報記入表（７）には、住所記入欄（７ｂ）が設けられている。住所記入欄（７ｂ）は、該契約者の自宅住所を記入するための欄である。例えば、図示するように、保険管理表（１）を×川×郎を対象者として作成する場合には住所記入欄（７ｂ）に×川×郎の自宅の住所を記入する。
【０１０５】
契約者情報記入表（７）には、電話番号記入欄（７ｃ）が設けられている。電話番号記入欄（７ｃ）は、該契約者が保有する電話番号を記入するための欄である。例えば、図示するように、×川×郎の自宅の電話番号が×××−０００−００００である場合には電話番号記入欄（７ｃ）に「×××−０００−００００」と記入する。
【０１０６】
契約者情報記入表（７）には、勤務先名称記入欄（７ｄ）が設けられている。勤務先名称記入欄（７ｄ）は、該契約者の勤務先の名称を記入するための欄である。例えば、図示するように、×川×郎の勤務先が××商事株式会社である場合には、勤務先名称記入欄（７ｄ）に「××商事」と記入する。
【０１０７】
契約者情報記入表（７）には、勤務先所在地記入欄（７ｅ）が設けられている。勤務先所在地記入欄（７ｅ）は、該契約者の勤務先の住所を記入するための欄である。例えば、図示するように、保険管理表（１）を×川×郎を対象者として作成する場合には勤務先所在地記入欄（７ｅ）に×川×郎の勤務先である××商事の所在地を記入する。
【０１０８】
契約者情報記入表（７）には、勤務先電話番号記入欄（７ｆ）が設けられている。勤務先電話番号記入欄（７ｆ）は、該契約者の勤務先の電話番号を記入するための欄である。例えば、図示するように、×川×郎の勤務先の電話番号が××−００００−００００である場合には勤務先電話番号記入欄（７ｆ）に「××−００００−００００」と記入する。
【０１０９】
保険管理表（１）は、上記の通り、契約者情報記入表（７）に、図示するように、氏名記入欄（７ａ）と、住所記入欄（７ｂ）と、電話番号記入欄（７ｃ）と、勤務先名称記入欄（７ｄ）と、勤務先所在地記入欄（７ｅ）と、勤務先電話番号記入欄（７ｆ）とが設けられているため、該契約者の個人情報を一欄的に把握することが容易になり、好適である。尚、契約者情報記入表（７）には、上記の各欄を全部設けることもできるが、上記の各欄の内から選択した一部の欄を設けることもできる。
【０１１０】
家族情報記入表（８）は、図１及び６に図示するように、保険管理表（１）の作成の対象となる契約者の家族に関する情報を記入するための表形式の表である。保険管理表（１）は、家族情報記入表（８）を含んでいることから、契約者の家族に関する情報もあわせて把握することができ、好適である。
【０１１１】
家族情報記入表（８）には、氏名記入欄（８ａ）が設けられている。氏名記入欄（８ａ）は、該家族の氏名を記入するための欄である。例えば、図示するように、×川×郎を作成対象者である保険管理表（１）において×川○子が×川×郎の配偶者である場合には、氏名記入欄（８ａ）に「×川○子」と記入する。
【０１１２】
家族情報記入表（８）には、生年月日記入欄（８ｂ）が設けられている。生年月日記入欄（８ｂ）は、該家族の生年月日を記入するための欄である。例えば、図示するように、×川○子の生年月日が昭和５４年４月１日である場合は、生年月日記入欄（８ｂ）に「Ｓ５４．４．１」と記入する。
【０１１３】
家族情報記入表（８）には、続柄記入欄（８ｃ）が含まれている。続柄記入欄（８ｃ）は、該家族の該契約者との続柄を記入するための欄である。例えば、図示するように、×川○子が×川×郎の配偶者である場合には続柄記入欄（８ｃ）に「妻」と記入する。
【０１１４】
家族情報記入表（８）には、図示するように、氏名記入欄（８ａ）と、生年月日記入欄（８ｂ）と、続柄記入欄（８ｃ）とが設けられているため、その作成の対象となる契約者の家族に関する情報を一欄的に把握することが容易になり、好適である。尚、家族情報記入表（８）には、上記の各欄を全部設けることもできるが、上記の各欄の内から選択した一部の欄を設けることもできる。
【０１１５】
保険管理表（１）は、表題記入部（９）を含んでいてもよい。表題記入部（９）は、保険管理表（１）の作成対象者について記入する箇所である。例えば、図示するように、保険管理表（１）が×川×郎の加入する保険に係る保険管理表である場合には、「×川×郎様の保険管理表」と記入する。
【０１１６】
保険管理表（１）は、作成者記入部（１０）を含んでいてもよい。作成者記入部（１０）は、保険管理表（１）を作成した者の氏名ないし名称等を記入するための箇所である。例えば、図示するように、保険管理表（１）を作成したのが○○生命保険の□□保険代理店である場合には、「○○生命保険□□保険代理店」と記入する。
【０１１７】
保険管理表（１）は、注意事項記入部（１１）を含んでいてもよい。注意事項記入部（１１）は、保険管理表（１）を利用する際の注意事項を記入するための箇所である。例えば、図示するように、保険管理表（１）は契約者から提供された情報に基づいて作成されたものである場合には、「お客様からの情報に基づいて作成したものであり、弊社は記入した事項について保障致しかねます。」と記入することができる。
【０１１８】
保険管理表（１）を用いることによって、その作成の対象となる契約者が加入する保険に係る各種の情報を正確かつ明確に理解するとともに、容易かつ迅速に理解することができる。そうすると、保険者の側としては、契約者に対して、新たな保険契約の締結を勧める場合等に、契約者が加入する保険に係る情報を十分に説明することができ、契約者の側としても、保険者から新たな保険契約の締結を勧められた場合等に、その加入する保険に係る情報を十分に確認することができるのである。
【符号の説明】
【０１１９】
１  保険管理表
２  保険履歴記入表
２ａ  履歴記入欄
２ｂ  日付記入欄
２ｃ  関係者記入欄
２ｄ  関係者連絡先記入欄
３  生命保険関連情報記入表
３ａ  目的記入欄
３ｂ  保険者記入欄
３ｃ  証券番号記入欄
３ｄ  契約日記入欄
３ｅ  契約者記入欄
３ｆ  被保険者記入欄
３ｇ  加入年齢記入欄
３ｈ  受取人記入欄
３ｉ  保障の内容の欄
３ｉ１  保険種別の欄
３ｉ２  保険期間の欄
３ｉ３  払込期間の欄
３ｉ４  普通死亡の欄
３ｉ５  災害傷害の欄
３ｉ６  入院の欄
３ｉ７  条件の欄
３ｉ８  その他の欄
３ｊ  生命保険料の欄
３ｊ１  払方の欄
３ｊ２  月額生命保険料の欄
３ｊ３  年額生命保険料の欄
３ｊ４  契約者生命保険料合計額の欄
３ｊ５  家族生命保険料合計額の欄
３ｊ６  生命保険料合計額の欄
４  損害保険関連情報記入表
４ａ  目的記入欄
４ｂ  保険者記入欄
４ｃ  始期記入欄
４ｄ  契約者記入欄
４ｅ  被保険者記入欄
４ｆ  対象物記入欄
４ｇ  保障の内容の欄
４ｇ１  保険種別の欄
４ｇ２  保険期間の欄
４ｇ３  払込期間の欄
４ｇ４  補償額の欄
４ｇ５  個人賠償の欄
４ｇ６  傷害の欄
４ｇ７  弁護士費用の欄
４ｈ  損害保険料の欄
４ｈ１  払方の欄
４ｈ２  月額損害保険料の欄
４ｈ３  年額損害保険料の欄
４ｈ４  損害保険料合計額の欄
４ｉ  その他の欄
５  契約者対象保険情報記入部
６  家族対象保険情報記入部
７  契約者情報記入表
７ａ  氏名記入欄
７ｂ  住所記入欄
７ｃ  電話番号記入欄
７ｄ  勤務先名称記入欄
７ｅ  勤務先所在地記入欄
７ｆ  勤務先電話番号記入欄
８  家族情報記入表
８ａ  氏名記入欄
８ｂ  生年月日記入欄
８ｃ  続柄記入欄
９  表題記入部
１０  作成者記入部
１１  注意事項記入部
【図１】
0003200540.tif 000003
【図２】
0003200540.tif 000004
【図３】
0003200540.tif 000005
【図４】
0003200540.tif 000006
【図５】
0003200540.tif 000007
【図６】
0003200540.tif 000008